(57)【要約】【課題】筐体外部から板材を外せない構造を有する筐体を、簡易な組み立て方法で高精度に組み立てることができる組立式遊技機筐体を提供する。【解決手段】底板材、天板材、背板材、左側締結部を有する左側板材、右側締結部を有する右側板材を組み合わせた筐体本体を具備し、底板材及び天板材は、左側締結部に挿入される左側頭付ピンをそれぞれ有すると共に、右側締結部に挿入される右側頭付ピンをそれぞれ有し、左側締結部は、左側頭付ピンのヘッド部を挿入する左側挿入孔と、この左側挿入孔に挿入されたヘッド部を固定する左側固定部を有し、右側締結部は、右側頭付ピンのヘッド部を挿入する右側挿入孔と、この右側挿入孔に挿入されたヘッド部を固定する右側固定部を有し、左側固定部の固定動作を行うネジ及び右側固定部の固定動作を行うネジは、筐体本体の内側から締結動作を行うものである。【選択図】    図１
2019047967.tif 000002
【特許請求の範囲】
【請求項１】
内部に遊技機ユニットを収容するための組立式遊技機筐体において、
水平面に平行に取り付けられる底板材と、この底板材から上方に離間して配置される天板材と、これら底板材と天板材との間に配置され、背面側に鉛直方向に立設される背板材と、前記底板材及び前記天板材の左側側面に配置され、その内側面に開口する凹部に設けられた左側締結部を有する左側板材と、前記底板材及び前記天板材の右側側面に配置され、その内側面に開口する凹部に設けられた右側締結部を有する右側板材を組み合わせて前面側が開放された筐体本体を具備し、
前記底板材及び前記天板材は、左側端面から水平方向に突出し、前記左側締結部に挿入される左側頭付ピンをそれぞれ有すると共に、右側端面から水平方向に突出し、前記右側締結部に挿入される右側頭付ピンをそれぞれ有し、
前記左側締結部は、前記左側頭付ピンのヘッド部を挿入する左側挿入孔と、この左側挿入孔に挿入された前記ヘッド部を固定する左側固定部を有し、当該左側固定部の固定動作を行うネジは、前記筐体本体の内側から締結動作を行うものであり、
前記右側締結部は、前記右側頭付ピンのヘッド部を挿入する右側挿入孔と、この右側挿入孔に挿入された前記ヘッド部を固定する右側固定部を有し、当該右側固定部の固定動作を行うネジは、前記筐体本体の内側から締結動作を行うものであることを特徴とする組立式遊技機筐体。
【請求項２】
内部に遊技機ユニットを収容するための組立式遊技機筐体において、
水平面に平行に取り付けられる底板材と、この底板材から上方に離間して配置され、その内側面に開口する凹部に設けられた天側締結部を有する天板材と、これら底板材と天板材との間に配置され、背面側に鉛直方向に立設される背板材と、前記底板材及び前記天板材の左側側面に配置され、その内側面に開口する凹部に設けられた左側締結部を有する左側板材と、前記底板材及び前記天板材の右側側面に配置され、その内側面に開口する凹部に設けられた右側締結部を有する右側板材を組み合わせて前面側が開放された筐体本体を具備し、
前記底板材は、左側端面から水平方向に突出し、前記左側締結部に挿入される左側頭付ピンをそれぞれ有すると共に、右側端面から水平方向に突出し、前記右側締結部に挿入される右側頭付ピンをそれぞれ有し、
前記左側板材及び前記右側板材は、上端面から上方に突出し、前記天側締結部に挿入される天側頭付ピンをそれぞれ有し、
前記左側締結部は、前記左側頭付ピンのヘッド部を挿入する左側挿入孔と、この左側挿入孔に挿入された前記ヘッド部を固定する左側固定部を有し、当該左側固定部の固定動作を行うネジは、前記筐体本体の内側から締結動作を行うものであり、前記右側締結部は、前記右側頭付ピンのヘッド部を挿入する右側挿入孔と、この右側挿入孔に挿入された前記ヘッド部を固定する右側固定部を有し、当該右側固定部の固定動作を行うネジは、前記筐体本体の内側から締結動作を行うものであり、前記天側締結部は、前記天側頭付ピンのヘッド部を挿入する天側挿入孔と、この天側挿入孔に挿入された前記ヘッド部を固定する天側固定部を有し、当該天側固定部の固定動作を行うネジは、前記筐体本体の内側から締結動作を行うものであることを特徴とする組立式遊技機筐体。
【請求項３】
内部に遊技機ユニットを収容するための組立式遊技機筐体において、
水平面に平行に取り付けられ、その内側面に開口する凹部に設けられた底側締結部を有する底板材と、この底板材から上方に離間して配置され、その内側面に開口する凹部に設けられた天側締結部を有する天板材と、これら底板材と天板材との間に配置され、背面側に鉛直方向に立設される背板材と、前記底板材及び前記天板材の右側面に配置された左側板材と、前記底板材及び前記天板材の右側側面に配置された右側板材を組み合わせて前面側が開放された筐体本体を具備し、
前記左側板材及び前記右側板材は、上端面から上方に突出し、前記天側締結部に挿入される天側頭付ピンをそれぞれ有し、
前記左側板材及び前記右側板材は、下端面から下方に突出し、前記底側締結部に挿入される底側頭付ピンをそれぞれ有し、
前記底側締結部は、前記底側頭付ピンのヘッド部を挿入する底側挿入孔と、この底挿入孔に挿入された前記ヘッド部を固定する底側固定部を有し、当該底側固定部の固定動作を行うネジは、前記筐体本体の内側から締結動作を行うものであり、前記天側締結部は、前記天側頭付ピンのヘッド部を挿入する天側挿入孔と、この天側挿入孔に挿入された前記ヘッド部を固定する天側固定部を有し、当該天側固定部の固定動作を行うネジは、前記筐体本体の内側から締結動作を行うものであることを特徴とする組立式遊技機筐体。
【請求項４】
前記左側締結部は、前記左側頭付ピンが挿入される挿入孔と、前記挿入孔の軸に対して斜め方向の軸を有する締結孔と、前記締結孔に螺合され、前記挿入孔に挿入された前記左側頭付ピンの前記ヘッド部に係合する締結ネジと、を有することを特徴とする請求項１又は請求項２に記載された組立式遊技機筐体。
【請求項５】
前記右側締結部は、前記右側頭付ピンが挿入される挿入孔と、前記挿入孔の軸に対して斜め方向の軸を有する締結孔と、前記締結孔に螺合され、前記挿入孔に挿入された前記右側頭付ピンの前記ヘッド部に係合する締結ネジと、を有することを特徴とする請求項１又は請求項２に記載された組立式遊技機筐体。
【請求項６】
前記天側締結部は、前記天側頭付ピンが挿入される挿入孔と、前記挿入孔の軸に対して斜め方向の軸を有する締結孔と、前記締結孔に螺合され、前記挿入孔に挿入された前記天側頭付ピンの前記ヘッド部に係合する締結ネジと、を有することを特徴とする請求項２又は請求項３に記載された組立式遊技機筐体。
【請求項７】
前記底側締結部は、前記底側頭付ピンが挿入される挿入孔と、前記挿入孔の軸に対して斜め方向の軸を有する締結孔と、前記締結孔に螺合され、前記挿入孔に挿入された前記底側頭付ピンの前記ヘッド部に係合する締結ネジと、を有することを特徴とする請求項３に記載された組立式遊技機筐体。
【請求項８】
内部に遊技機ユニットを収容するための組立式遊技機筐体において、
水平面に平行に取り付けられ、その内側面と両側端面とにかけた端部の凹部に設けられた底側締結部を有する底板材と、この底板材から上方に離間して配置され、その内側面と両側端面とにより規定される端部の凹部に設けられた天側締結部を有する天板材と、これら底板材と天板材との間に配置され、背面側に鉛直方向に立設される背板材と、前記底板材及び前記天板材の右側面に配置された左側板材と、前記底板材及び前記天板材の右側側面に配置された右側板材を組み合わせて前面側が開放された筐体本体を具備し、
前記左側板材及び前記右側板材は、その内側面から水平方向に突出し、前記底側締結部に挿入される底側頭付ピンをそれぞれ有し、
前記左側板材及び前記右側板材は、その内側面から水平方向に突出し、前記天側締結部に挿入される天側頭付ピンをそれぞれ有し、
前記底側締結部は、前記底側頭付ピンのヘッド部を挿入する底側挿入孔と、この底側挿入孔に挿入された前記ヘッド部を固定する底側固定部を有し、当該底側固定部の固定動作を行うネジは、前記筐体本体の内側から締結動作を行うものであり、前記天側締結部は、前記天側頭付ピンのヘッド部を挿入する天側挿入孔と、この天側挿入孔に挿入された前記ヘッド部を固定する天側固定部を有し、当該天側固定部の固定動作を行うネジは、前記筐体本体の内側から締結動作を行うものであることを特徴とする組立式遊技機筐体。
【請求項９】
前記天側締結部は、前記天側頭付ピンが挿入される天側挿入孔と、前記天側挿入孔の軸に対して直交する軸を有する天側締結孔と、前記天側締結孔に回動自在に収容され、前記天側挿入孔に挿入された前記天側頭付ピンのヘッド部に係合する天側締結カムを有し、
前記底側締結部は、前記底側頭付ピンが挿入される底側挿入孔と、前記底側挿入孔の軸に対して直交する軸を有する底側締結孔と、前記底側締結孔に回動自在に収容され、前記底側挿入孔に挿入された前記底側頭付ピンのヘッド部に係合する底側締結カムを有することを特徴とする請求項８記載の組立式遊技機筐体。
【発明の詳細な説明】
【技術分野】
【０００１】
本発明は、回胴式遊技機等に用いられる組立式遊技機筐体に関する。
【背景技術】
【０００２】
スロットマシン等の回胴式遊技機の筐体は、複数の板材を前面開放した箱状に組み合わせて構成されている（例えば、特許文献１〜２参照）。回胴式遊技機の筐体は、店舗に設けられた棚に取り付けられ、その後、前面側から遊技機ユニットを挿入して設置が完了する。このような回胴式遊技機の筐体は、不正行為を防止する構造を採用することが義務づけられている。このため、外側からネジを外して板材を外し、筐体内部へ手を入れたりすることができないよう、筐体外部からのネジ留めは一般的に採用されていない。具体的には、一方の板材に孔を開け、他方の板材の孔に差し込まれる木製のダボ（頭の無いピン）を取り付け、これらを組み合わせて接着剤で補強して組み立てるようにしていた。このような組立作業は工場で行われ、箱形に組み立てられた筐体を遊技機の最終組み立て工場等の別工場に輸送する。
【先行技術文献】
【特許文献】
【０００３】
【特許文献１】特開２０１６−１０１３６２号公報
【特許文献２】特開２００３−１８０９１６号公報
【発明の概要】
【発明が解決しようとする課題】
【０００４】
上記した遊技機筐体にあっては次のような問題があった。すなわち、筐体は箱状に組み立てられているため、保管や輸送の際に広いスペースが必要となり、保管コストや輸送コストが大きくなる虞があった。また、保管中や輸送中、又は、使用中に板材が１枚でも破損すると、筐体全体が不良となり、破損していない板材までも破棄する必要があり、無駄な費用が発生する虞があった。
【０００５】
一方、保管コストや輸送コストを低減するため、保管や輸送は板材のままとし、筐体の組み立てを、遊技機の最終組み立て工場等の別工場で行うことも考えられる。しかしながら、不慣れな作業者による接着剤を用いた組み立て作業は、筐体に寸法誤差を生じさせ、これにより、遊技機本体が筐体内に挿入できない事態や筐体を構成する板材間に隙間が生じて不正行為が行われてしまう事態が発生する虞があった。
【０００６】
そこで、筐体外部から板材を外せない構造を有する筐体を、簡易な組み立て方法で高精度に組み立てることができる組立式遊技機筐体を提供することを目的としている。
【課題を解決するための手段】
【０００７】
本発明の一側面に係る内部に遊技機ユニットを収容するための組立式遊技機筐体において、水平面に平行に取り付けられる底板材と、この底板材から上方に離間して配置される天板材と、これら底板材と天板材との間に配置され、背面側に鉛直方向に立設される背板材と、前記底板材及び前記天板材の左側側面に配置され、その内側面に開口する凹部に設けられた左側締結部を有する左側板材と、前記底板材及び前記天板材の右側側面に配置され、その内側面に開口する凹部に設けられた右側締結部を有する右側板材を組み合わせて前面側が開放された筐体本体を具備し、前記底板材及び前記天板材は、左側端面から水平方向に突出し、前記左側締結部に挿入される左側頭付ピンをそれぞれ有すると共に、右側端面から水平方向に突出し、前記右側締結部に挿入される右側頭付ピンをそれぞれ有し、前記左側締結部は、前記左側頭付ピンのヘッド部を挿入する左側挿入孔と、この左側挿入孔に挿入された前記ヘッド部を固定する左側固定部を有し、当該左側固定部の固定動作を行うネジは、前記筐体本体の内側から締結動作を行うものであり、前記右側締結部は、前記右側頭付ピンのヘッド部を挿入する右側挿入孔と、この右側挿入孔に挿入された前記ヘッド部を固定する右側固定部を有し、当該右側固定部の固定動作を行うネジは、前記筐体本体の内側から締結動作を行うので、筐体外部から板材を外せない構造を有する筐体を、簡易な組み立て方法で高精度に組み立てることができる。
【０００８】
本発明の一側面に係る内部に遊技機ユニットを収容するための組立式遊技機筐体において、水平面に平行に取り付けられる底板材と、この底板材から上方に離間して配置され、その内側面に開口する凹部に設けられた天側締結部を有する天板材と、これら底板材と天板材との間に配置され、背面側に鉛直方向に立設される背板材と、前記底板材及び前記天板材の左側側面に配置され、その内側面に開口する凹部に設けられた左側締結部を有する左側板材と、前記底板材及び前記天板材の右側側面に配置され、その内側面に開口する凹部に設けられた右側締結部を有する右側板材を組み合わせて前面側が開放された筐体本体を具備し、前記底板材は、左側端面から水平方向に突出し、前記左側締結部に挿入される左側頭付ピンをそれぞれ有すると共に、右側端面から水平方向に突出し、前記右側締結部に挿入される右側頭付ピンをそれぞれ有し、前記左側板材及び前記右側板材は、上端面から上方に突出し、前記天側締結部に挿入される天側頭付ピンをそれぞれ有し、前記左側締結部は、前記左側頭付ピンのヘッド部を挿入する左側挿入孔と、この左側挿入孔に挿入された前記ヘッド部を固定する左側固定部を有し、当該左側固定部の固定動作を行うネジは、前記筐体本体の内側から締結動作を行うものであり、前記右側締結部は、前記右側頭付ピンのヘッド部を挿入する右側挿入孔と、この右側挿入孔に挿入された前記ヘッド部を固定する右側固定部を有し、当該右側固定部の固定動作を行うネジは、前記筐体本体の内側から締結動作を行うものであり、前記天側締結部は、前記天側頭付ピンのヘッド部を挿入する天側挿入孔と、この天側挿入孔に挿入された前記ヘッド部を固定する天側固定部を有し、当該天側固定部の固定動作を行うネジは、前記筐体本体の内側から締結動作を行うので、筐体外部から板材を外せない構造を有する筐体を、簡易な組み立て方法で高精度に組み立てることができる。
【０００９】
本発明の一側面に係る内部に遊技機ユニットを収容するための組立式遊技機筐体において、水平面に平行に取り付けられ、その内側面に開口する凹部に設けられた底側締結部を有する底板材と、この底板材から上方に離間して配置され、その内側面に開口する凹部に設けられた天側締結部を有する天板材と、これら底板材と天板材との間に配置され、背面側に鉛直方向に立設される背板材と、前記底板材及び前記天板材の右側面に配置された左側板材と、前記底板材及び前記天板材の右側側面に配置された右側板材を組み合わせて前面側が開放された筐体本体を具備し、前記左側板材及び前記右側板材は、上端面から上方に突出し、前記天側締結部に挿入される天側頭付ピンをそれぞれ有し、前記左側板材及び前記右側板材は、下端面から下方に突出し、前記底側締結部に挿入される底側頭付ピンをそれぞれ有し、前記底側締結部は、前記底側頭付ピンのヘッド部を挿入する底側挿入孔と、この底挿入孔に挿入された前記ヘッド部を固定する底側固定部を有し、当該底側固定部の固定動作を行うネジは、前記筐体本体の内側から締結動作を行うものであり、前記天側締結部は、前記天側頭付ピンのヘッド部を挿入する天側挿入孔と、この天側挿入孔に挿入された前記ヘッド部を固定する天側固定部を有し、当該天側固定部の固定動作を行うので、筐体外部から板材を外せない構造を有する筐体を、簡易な組み立て方法で高精度に組み立てることができる。
【発明の効果】
【００１０】
本発明の一側面によれば、筐体外部から板材を外せない構造を有する筐体を、簡易な組み立て方法で高精度に組み立てることが可能となる。
【図面の簡単な説明】
【００１１】
【図１】本発明の第１実施形態に係る組立式遊技機筐体を示す分解斜視図。
【図２】図１の組立式遊技機筐体を示す斜視図。
【図３】図１の組立式遊技機筐体に組み込まれた左側締結部を示す斜視図。
【図４】図３の左側締結部を示す縦断面図。
【図５】本発明の第２実施形態に係る組立式遊技機筐体を示す分解斜視図。
【図６】図５の組立式遊技機筐体を示す斜視図。
【図７】本発明の第３実施形態に係る組立式遊技機筐体を示す分解斜視図。
【図８】図７の組立式遊技機筐体を示す斜視図。
【図９】本発明の第１実施形態の第１変形例に係る組立式遊技機筐体を示す分解斜視図。
【図１０】本発明の第１実施形態の第２変形例に係る組立式遊技機筐体を示す分解斜視図。
【図１１】図１０の組立式遊技機筐体に組み込まれた天側締結部を示す斜視図。
【図１２】図１１の天側締結部を示す縦断面図。
【図１３】図１１の天側締結部を示す横断面図。
【発明を実施するための形態】
【００１２】
以下、図に基づいて、本発明の実施形態について説明する。  
（第１実施形態）  
図１乃至図４は、本発明の第１実施形態に係る組立式遊技機筐体１０Ａ及びその要部を示す説明図である。組立式遊技機筐体１０Ａは、店舗等に設置された棚に固定され、図２に示すように、遊技機ユニットＫを収容するものである。
【００１３】
組立式遊技機筐体１０Ａは、水平面に平行に取り付けられる底板材２０と、この底板材２０から上方に離間して配置される天板材３０と、底板材２０及び天板材３０の左側側面に配置された左側板材５０と、底板材２０及び天板材３０の右側側面に配置された右側板材６０と、底板材２０、天板材３０、左側板材５０及び右側板材６０により四方が保持される背板材４０とを組み合わせて前面側が開放された筐体本体が構成される。
【００１４】
底板材２０は平面長方形状の板材である。底板材２０は、その左側端面から水平方向に突出し、左側締結部５３に挿入される左側頭付ピン２２を有すると共に、右側端面から水平方向に突出し、右側締結部６３に挿入される右側頭付ピン２３を有している。左側頭付ピン２２及び右側頭付ピン２３はいずれも軸部より太いヘッド部Ｈを有している。また、底板材２０の内側面の後端近傍には、水平方向に細い溝２１が設けられている。この溝２１に背板材４０の下端が差し込まれる。
【００１５】
天板材３０は平面長方形状の板材である。天板材３０の左右方向の幅は、底板材２０の左右方向の幅と同一である。天板材３０の前後方向の幅は、底板材２０の前後方向の幅よりも狭い。天板材３０は、その左側端面から水平方向に突出し、左側締結部５２に挿入される左側頭付ピン３２を有すると共に、右側端面から水平方向に突出し、右側締結部６２に挿入される右側頭付ピン３３を有している。左側頭付ピン３２及び右側頭付ピン３３はいずれも軸部より太いヘッド部Ｈを有している。また、天板材３０の内側面の後端近傍には、水平方向に細い溝３１が設けられている。この溝３１に背板材４０の上端が差し込まれる。
【００１６】
左側板材５０は平面直角台形状の板材である。左側板材５０は、その内側面に開口する凹部５９が四隅近傍に設けられている。上方の凹部５９には左側締結部５２、下方の凹部５９には左側締結部５３が取り付けられている。また、左側板材５０の内側面の後端近傍には鉛直方向（上下方向）に細い溝５１が設けられている。この溝５１に背板材４０の左端が差し込まれる。
【００１７】
右側板材６０は平面直角台形状の板材である。右側板材６０は、その内側面に開口する凹部６９が四隅近傍に設けられている。上方の凹部６９には右側締結部６２、下方の凹部６９には右側締結部６３が取り付けられている。また、右側板材６０の内側面の後端近傍には、鉛直方向（上下方向）に細い溝６１が設けられている。この溝６１に背板材４０の右端が差し込まれる。
【００１８】
ここで、左側締結部５２、左側締結部５３、右側締結部６２、右側締結部６３は同一構成であるため、左側締結部５３を代表して説明する。
【００１９】
図３，４に示すように、左側締結部５３は、円筒状の筐体５３ａと、この筐体５３ａ内部に設けられ、左側頭付ピン２２が挿入される左側挿入孔５３ｂと、この左側挿入孔５３ｂの軸Ｐに対して斜め方向の軸Ｑを有する締結孔５３ｃとを有する。締結孔５３ｃには、締結ネジ５３ｄが螺合されている。左側挿入孔５３ｂに左側頭付ピン２２を挿入した状態で、締結ネジ５３ｄを回転して締めつけることで、締結ネジ５３ｄが左側頭付ピン２２のヘッド部Ｈに係合する。すなわち、左側頭付ピン２２のヘッド部Ｈを挿入する左側挿入孔５３ｂと、この左側挿入孔５３ｂに挿入されたヘッド部Ｈを固定する左側固定部であり、左側固定部の固定動作を行うネジは、締結ネジ５３ｄである。この締結ネジ５３ｄは組立式遊技機筐体１０Ａの内側から締結動作を行うものである。
【００２０】
このように構成された組立式遊技機筐体１０Ａは、各箇所にある頭付ピンを締結部に挿入し、締結ネジを回転して締めつけることで、各板材が相互に固定されることになる。また、締結ネジを緩めるだけで板材同士の固定状態を解除することができ、容易に組立筐体を分解することができる。また、各板材２０〜６０の固定を全て、その内側からの締結動作によって行うことになる。このため、遊技機ユニットＫを収容してしまえば、組立式遊技機筐体１０Ａの外部から各板材２０〜６０の一部を取り外して、遊技機ユニットＫにアクセスすることができないため、不正行為を排除できる。各締結部は、ネジ締めだけでヘッド部Ｈを固定することができるため、組立に熟練は不要であり、運搬されてきた各板材を予め定められたように組み立てて、ネジ締めするだけで、高精度に組み立てることができ、無用な隙間が生じたり、遊技機ユニットＫが入らなかったりするような不具合は生じない。さらに、何らかの事情で板材を破損した場合でも遊技機ユニットＫを外して、内部からネジを取り外せば、１枚ずつ板材を交換することができるため、全体を交換しなければならない場合に比べて経済的である。また、底板材２０と左側板材５０とを締結する頭付ピン及び底板材２０と右側板材６０とを締結する頭付ピンが水平方向と平行に設けられている。締結部に頭付ピンが締結される締結力が高ければ、頭付ピンの軸部が折れるか、曲がるか、または頭付ピンが底板材２０の端面から剥落しない限り、組立式遊技機筐体１０Ａの内部に収納された遊技機ユニットＫを保持することができる。つまり、組立式遊技機筐体１０Ａの底板材２０は高い荷重性能を有する。遊技機ユニットＫを収納した組立式遊技機筐体１０Ａを店舗に設置したときに、底板材２０及び天板材３０の切断面が見えないため、見栄えは良い。また、組立式遊技機筐体１０Ａを構成する各板材は、頭付ピンまたは締結部が装着された状態でもフラットである。これは、板材の種類を気にすることなく積み重ねることを可能にし、輸送コストを低減させる。
【００２１】
しかしながら、組立式遊技機筐体１０Ａを組み立てる際には、一旦、左側板材５０または右側板材６０を横に倒した状態で作業を行う必要があり、その組立性は必ずしもよくない。また、組立式遊技機筐体１０Ａは、底板材２０及び天板材３０から左右に突出した頭付ピンによって左側板材５０及び右側板材６０と結合しているため、直接接触していない。このため、左右方向の寸法において小さなバラツキが発生することがある。
【００２２】
（第２実施形態）  
図５、図６は、本発明の第２実施形態に係る組立式遊技機筐体１０Ｂを示している。なお、これらの図において、図１乃至図４と同一機能部分には同一符号を付し、その詳細な説明は省略する。なお、組立式遊技機筐体１０Ｂを構成する各板材の寸法は、組立式遊技機筐体１０Ａの寸法とは必ずしも同一ではないが、説明の簡略化のため同じ符号を付している。
【００２３】
組立式遊技機筐体１０Ｂにおいては、左側板材５０の上端面に頭付ピン５４、右側板材６０の上端面に頭付ピン６４が設けられている。また、天板材３０の内側面の四隅に天側締結部３４が設けられている。なお、天側締結部３４は前述した左側締結部５３と同様の構成である。
【００２４】
このように構成された第２実施形態に係る組立式遊技機筐体１０Ｂによれば、第１実施形態に係る組立式遊技機筐体１０Ａと同様の効果を得られる。この他に、第２実施形態に係る組立式遊技機筐体１０Ｂを組み立てる際、最終的に左側板材５０及び右側板材６０の頭付ピン５４，６４を天板材３０に挿入するため、左右方向の位置ズレを修正できる。しかしながら、天板材３０の両側端面が外部から見えてしまうため、見栄えはやや悪い。また、組立式遊技機筐体１０Ｂでは、天板材３０は左側板材５０と右側板材６０との上にスタックされているため、天板材３０は、下向きの荷重に対して強く、上向きの荷重に対して弱い荷重性能を有する。
【００２５】
（第３実施形態）  
図７、図８は、本発明の第３実施形態に係る組立式遊技機筐体１０Ｃを示している。なお、これらの図において、図１乃至図６と同一機能部分には同一符号を付し、その詳細な説明は省略する。なお、組立式遊技機筐体１０Ｃを構成する各板材の寸法は、組立式遊技機筐体１０Ａ，１０Ｂの寸法とは必ずしも同一ではないが、説明の簡略化のため同じ符号を付している。
【００２６】
組立式遊技機筐体１０Ｃにおいては、左側板材５０の上端面に頭付ピン５４、右側板材６０の上端面に頭付ピン６４が設けられている。さらに、左側板材５０の下端面に頭付ピン５５、右側板材６０の下端面に頭付ピン６５が設けられている。また、底板材２０の内側面の四隅に底側締結部２４が設けられている。なお、底側締結部２４は前述した左側締結部５３と同様の構成である。
【００２７】
このように構成された第３実施形態に係る組立式遊技機筐体１０Ｃによれば、第１実施形態に係る組立式遊技機筐体１０Ａと同様の効果を得られる。この他に、第３実施形態に係る組立式遊技機筐体１０Ｃを組み立てる際、底板材２０の上に左側板材５０及び右側板材６０を取り付けるため、左右方向の寸法における寸法を高精度に位置決めできると共に、下側から組み立てていけるので、組立性が良い。しかしながら、天板材３０及び底板材２０の切断面（両側端面）が外部から見えてしまうため、見栄えはやや悪い。また、組立式遊技機筐体１０Ｃでは、天板材３０は左側板材５０と右側板材６０との上にスタックされている。そのため、天板材３０は、下向きの荷重に対して強く、上向きの荷重に対して弱い荷重性能を有する。また、底板材２０の上に左側板材５０と右側板材６０とがスタックされているため、底板材２０は、下向きの荷重に対して弱く、上向きの荷重に対して強い荷重性能を有する。
【００２８】
（第１実施形態の第１変形例）  
図９は、図１の組立式遊技機筐体１０Ａの第１変形例を示している。図９に示すように、底板材２０は、左側端面から水平方向に突出し、左側板材５０のピン孔５７に挿入される補強ピン２５を有すると共に、右側端面から水平方向に突出し、右側板材６０のピン孔６７に挿入される補強ピン２６を有する。例えば、補強ピン２５として、円柱体の木製のダボ（頭の無いピン）が底板材２０の左側端面にあけられたダボ孔に挿入され、接着剤により固着されている。同様に、補強ピン２６として、円柱体の木製のダボ（頭の無いピン）が底板材２０の右側端面にあけられたダボ孔に挿入され、接着剤により固着されている。
【００２９】
天板材３０は、その左側端面から水平方向に突出し、左側板材５０のピン孔５６に挿入される補強ピン３５を有すると共に、右側端面から水平方向に突出し、右側板材６０のピン孔６６に挿入される補強ピン３６を有している。例えば、補強ピン３５として、円柱体の木製のダボ（頭の無いピン）が天板材３０の左側端面にあけられたダボ孔に挿入され、接着剤により固着されている。同様に、補強ピン３６として、円柱体の木製のダボ（頭の無いピン）が天板材３０の右側端面にあけられたダボ孔に挿入され、接着剤により固着されている。
【００３０】
左側板材５０は、その内側面の上方の２つの凹部５９の間にあけられた２つのピン孔５６を有する。同様に、左側板材５０は、その内側面の下方の２つの凹部５９の間にあけられた２つのピン孔５７を有する。
【００３１】
右側板材６０は、その内側面の上方の２つの凹部６９の間にあけられた２つのピン孔６６を有する。同様に、右側板材６０は、その内側面の下方の２つの凹部６９の間にあけられた２つのピン孔６７を有する。
【００３２】
このように構成された第１変形例に係る組立式遊技機筐体１０Ａによれば、第１実施形態に係る組立式遊技機筐体１０Ａと同様の効果を得ることができる。また、底板材２０及び天板材３０に補強ピンを設けることで、頭付ピンにかかっていた荷重を補強ピンに分散させることができる。また、第１変形例に係る組立式遊技機筐体１０Ａを組み立てるときに、頭付ピンが締結部に挿入されるのと同時に補強ピンは対応するピン孔に挿し込まれる。したがって、第１実施形態の第１変形例に係る組立式遊技機筐体１０Ａは、図１に示す第１実施形態に係る組立式遊技機筐体１０Ａの組立性を損なうことなく、高い耐荷重性能を有する。
【００３３】
（第１実施形態の第２変形例）  
図１０乃至図１３は、図１の組立式遊技機筐体１０Ａの第２変形例及びその要部を示す説明図である。底板材２０は、その内側面に開口する凹部２８が四隅近傍に設けられている。左方の凹部２８は、左側端面にも開口する。同様に、右方の凹部２８は、右側端面にも開口する。これら凹部２８には底側締結部２７が取り付けられている。
【００３４】
天板材３０は、その内側面に開口する凹部３８が四隅近傍に設けられている。左方の凹部３８は、左側端面にも開口する。同様に、右方の凹部３８は、右側端面にも開口する。これら凹部３８には天側締結部３７が取り付けられている。
【００３５】
左側板材５０は、その内側面から水平方向に突出する頭付ピン５８が四隅に取り付けられる。下方の頭付ピン（底側頭付ピン）５８は底板材２０の左方の底側締結部２７に挿入され、上方の頭付ピン（天側頭付ピン）５８は天板材３０の左方の天側締結部３７に挿入される。
【００３６】
右側板材６０は、その内側面から水平方向に突出する頭付ピン６８が四隅に取り付けられる。下方の頭付ピン６８（底側頭付ピン）は底板材２０の右方の底側締結部２７に挿入され、上方の頭付ピン６８（天側頭付ピン）は天板材３０の右方の天側締結部３７に挿入される。
【００３７】
ここで、底板材２０の底側締結部２７と天板材３０の天側締結部３７は同一構成であるため、天板材３０の天側締結部３７を代表して説明する。
【００３８】
天側締結部３７に頭付ピン５８が締結される構造は、図３、図４で説明した締結構造と異なる。図３、図４の締結構造では、締結孔は、挿入孔の軸Ｐに対して斜めの方向の軸Ｑを有していた。一方、図１１乃至１３に示す締結構造では、締結部の挿入孔に頭付ピンを挿入した状態で、挿入孔の軸に対して直交する軸を有する締結孔に回転自在に収容される締結カムをドライバー等で回し、頭付ピンのヘッド部に締結カムを係合させることで、板材同士を締結する構造である。
【００３９】
具体的には、天板材３０は、その凹部３８に天側締結部３７が挿入される。天側締結部３７は、切欠部を有し頭付ピン５８のヘッド部Ｈが挿入される円筒部３７ａと、この円筒部３７ａの円筒軸と平行な回転軸を有し、頭付ピン５８のヘッド部Ｈが円筒部３７ａから抜けないようにロックする底側締結カム３７ｂとを備えている。底側締結カム３７ｂは、側面に切欠部を有する円筒体である。その円筒体の頂面にはネジ部材３７ｃが設けられている。頭付ピン５８のヘッド部Ｈが底側締結カム３７ｂの内部中空に挿入された状態で、ネジ部材３７ｃを回転させることで、底側締結カム３７ｂの切欠部が頭付ピン５８の軸部に係合し、これによりヘッド部Ｈが円筒部３７ａから抜け出せなくなる。すなわち、頭付ピン５８のヘッド部Ｈを挿入する円筒部３７ａと、この円筒部３７ａに挿入されたヘッド部Ｈを固定する固定部であり、固定部の固定動作を行うネジは、ネジ部材３７ｃである。このネジ部材３７ｃは組立式遊技機筐体１０Ａの内側から締結動作を行うものである。
【００４０】
このように構成された第２変形例に係る組立式遊技機筐体１０Ａによれば、第１実施形態に係る組立式遊技機筐体１０Ａと同様の効果を得ることができる。この他、外部から底板材２０及び天板材３０の切断面が見えないため見栄えは良い。
【００４１】
上述した組立式遊技機筐体１０Ａ〜１０Ｃにおいて用いる締結部として、図３、図４、図１１、図１２、図１３に示すものを例示したが、板材に設けられた頭付ピンのヘッド部を、筐体内部側から行う固定動作によって固定できるものであれば、構成の異なる他の締結部を用いても良い。また、各板材に設けられる頭付ピンは、上述した位置に加えて、他の位置に設けても良く、それに対応して締結部を設けるようにしてもよい。さらに、上述では板材同士の締結のために２本の頭付ピンを２つの締結部にそれぞれに締結していたが、必要な強度に応じて頭付ピンの数は１本でも良いし、３本以上であってもよい。また、図９で説明した補強ピンの数も必要な強度に応じて１本でも良いし、３本以上であってもよい。また、補強ピンが底板材のみに取り付けられていても良い。また、頭付ピンの位置及び補強ピンの位置も上記に限定されることはない。さらに、補強ピンは、円柱体ではなく、四角柱体であってもよいし、幅広の楕円形板材（ビスケット）であってもよい。
【００４２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１０Ａ…組立式遊技機筐体、２０…底板材、２１…溝、２２…左側頭付ピン、２３…右側頭付ピン、３０…天板材、３１…溝、３２…左側頭付ピン、３３…右側頭付ピン、４０…背板材、５０…左側板材、５１…溝、５２、５３…左側締結部、６０…右側板材、６１…溝、６２，６３…右側締結部。
【図１】
2019047967.tif 000003
【図２】
2019047967.tif 000004
【図３】
2019047967.tif 000005
【図４】
2019047967.tif 000006
【図５】
2019047967.tif 000007
【図６】
2019047967.tif 000008
【図７】
2019047967.tif 000009
【図８】
2019047967.tif 000010
【図９】
2019047967.tif 000011
【図１０】
2019047967.tif 000012
【図１１】
2019047967.tif 000013
【図１２】
2019047967.tif 000014
【図１３】
2019047967.tif 000015
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
内部に遊技機ユニットを収容するための組立式遊技機筐体において、
底板材と、
天板材と、
前記底板材と前記天板材との間に配置される左側板材と、
前記底板材と前記天板材との間に配置される右側板材と、
前記底板材と前記天板材と前記左側板材と前記右側板材との間に配置される背板材と、
前記左側板材と平行であって、前記左側板材の下端面からヘッド部が突出するように前記左側板材に固定される左底側頭付ピンと、
前記左側板材と平行であって、前記左側板材の上端面からヘッド部が突出するように前記左側板材に固定される左天側頭付ピンと、
前記右側板材と平行であって、前記右側板材の下端面からヘッド部が突出するように前記右側板材に固定される右底側頭付ピンと、
前記右側板材と平行であって、前記右側板材の上端面からヘッド部が突出するように前記右側板材に固定される右天側頭付ピンと、
前記底板材の左側に上向きに前記底板材に埋設され、前記左底側頭付ピンを受容する左底側締結部と、
前記天板材の左側に下向きに前記天板材に埋設され、前記左天側頭付ピンを受容する左天側締結部と、
前記底板材の右側に上向きに前記底板材に埋設され、前記右底側頭付ピンを受容する右底側締結部と、
前記天板材の右側に下向きに前記天板材に埋設され、前記右天側頭付ピンを受容する右天側締結部とを具備し、
前記左底側締結部、前記左天側締結部、前記右底側締結部及び前記右天側締結部はそれぞれ、表面側から垂直に前記ヘッド部を挿入するための挿入孔が設けられた筐体と、前記挿入孔に対して傾斜した向きで前記筐体に軸支され、前記表面側から斜めに係合されたねじ回し工具によるねじ込みにより前記ヘッド部を先端で前記筐体の底面に押し付けるための締結ネジとを有し、
前記左底側締結部と前記右底側締結部とは前記ねじ回し工具が内側であって斜め上方から前記締結ネジに係合する向きに取り付けられ、
前記左天側締結部と前記右天側締結部とは前記ねじ回し工具が内側であって斜め下方から前記締結ネジに係合する向きに取り付けられ、
前記底板材、前記左側板材、前記右側板材及び前記天板材は、前記左底側頭付ピン、前記左天側頭付ピン、前記右底側頭付ピン、前記右天側頭付ピン、前記左底側締結部、前記左天側締結部、前記右底側締結部及び前記右天側締結部が干渉することなく積み重ねることが可能である、ことを特徴とする組立式遊技機筐体。
【請求項２】
前記左側板材と平行であって、前記左側板材の下端面から突出するように前記左側板材に固定される左底側補強ピンと、
前記左側板材と平行であって、前記左側板材の上端面から突出するように前記左側板材に固定される左天側補強ピンと、
前記右側板材と平行であって、前記右側板材の下端面から突出するように前記右側板材に固定される右底側補強ピンと、
前記右側板材と平行であって、前記右側板材の上端面から突出するように前記右側板材に固定される右天側補強ピンと、をさらに備え、
前記底板材の左側には前記左底側補強ピンが挿入される左底側補強ピン孔があけられ、
前記天板材の左側には前記左天側補強ピンが挿入される左天側補強ピン孔があけられ、
前記底板材の右側には前記右底側補強ピンが挿入される右底側補強ピン孔があけられ、
前記天板材の右側には前記右天側補強ピンが挿入される右天側補強ピン孔があけられることを特徴とする請求項１記載の組立式遊技機筐体。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明の一側面に係る内部に遊技機ユニットを収容するための組立式遊技機筐体において、底板材と、天板材と、前記底板材と前記天板材との間に配置される左側板材と、前記底板材と前記天板材との間に配置される右側板材と、前記底板材と前記天板材と前記左側板材と前記右側板材との間に配置される背板材と、前記左側板材と平行であって、前記左側板材の下端面からヘッド部が突出するように前記左側板材に固定される左底側頭付ピンと、前記左側板材と平行であって、前記左側板材の上端面からヘッド部が突出するように前記左側板材に固定される左天側頭付ピンと、前記右側板材と平行であって、前記右側板材の下端面からヘッド部が突出するように前記右側板材に固定される右底側頭付ピンと、前記右側板材と平行であって、前記右側板材の上端面からヘッド部が突出するように前記右側板材に固定される右天側頭付ピンと、前記底板材の左側に上向きに前記底板材に埋設され、前記左底側頭付ピンを受容する左底側締結部と、前記天板材の左側に下向きに前記天板材に埋設され、前記左天側頭付ピンを受容する左天側締結部と、前記底板材の右側に上向きに前記底板材に埋設され、前記右底側頭付ピンを受容する右底側締結部と、前記天板材の右側に下向きに前記天板材に埋設され、前記右天側頭付ピンを受容する右天側締結部とを具備する。前記左底側締結部、前記左天側締結部、前記右底側締結部及び前記右天側締結部はそれぞれ、表面側から垂直に前記ヘッド部を挿入するための挿入孔が設けられた筐体と、前記挿入孔に対して傾斜した向きで前記筐体に軸支され、前記表面側から斜めに係合されたねじ回し工具によるねじ込みにより前記ヘッド部を先端で前記筐体の底面に押し付けるための締結ネジとを有する。前記左底側締結部と前記右底側締結部とは前記ねじ回し工具が内側であって斜め上方から前記締結ネジに係合する向きに取り付けられる。前記左天側締結部と前記右天側締結部とは前記ねじ回し工具が内側であって斜め下方から前記締結ネジに係合する向きに取り付けられる。前記底板材、前記左側板材、前記右側板材及び前記天板材は、前記左底側頭付ピン、前記左天側頭付ピン、前記右底側頭付ピン、前記右天側頭付ピン、前記左底側締結部、前記左天側締結部、前記右底側締結部及び前記右天側締結部が干渉することなく積み重ねることが可能である。